(57)【要約】      （修正有）【課題】販売を行う事業者にとっては電子表示装置が組み込まれたショッピングカートを導入する場合に比べて初期費用が抑えられ、またユーザにとっては買い物に有効なコンテンツを、自身の携帯端末で容易に使うことができる環境を提供する。【解決手段】形状の異なる携帯端末を保持することが可能で、且つショッピングカート１に対して着脱可能な機能を有する携帯端末保持体２を取り付けたショッピングカートに、携帯端末で利用可能なコンテンツ提供手段を付与する。【選択図】図１
2017109687.tif 000002
【特許請求の範囲】
【請求項１】
携帯端末保持部及びカート取付部を有する携帯端末保持体が取り付けられた携帯端末保持体付ショッピングカートであって、
前記携帯端末保持部は、形状の異なる携帯端末を保持する機能を有し、
前記カート取付部は、前記携帯端末保持部と直接又は間接的に連結され、ショッピングカートに対して着脱可能な機能を有し、
携帯端末で利用可能なコンテンツを提供するコンテンツ提供手段を有することを特徴とする携帯端末保持体付ショッピングカート。
【請求項２】
前記コンテンツは、前記携帯端末の位置情報と連動した機能を有するコンテンツであることを特徴とする請求項１に記載の携帯端末保持体付ショッピングカート。
【請求項３】
前記携帯端末保持部は、載置部、固定部、調整部を有し、該調整部が該載置部と該固定部との距離を調整することで、形状の異なる携帯端末を保持することを特徴とする請求項１又は２に記載の携帯端末保持体付ショッピングカート。
【請求項４】
前記調整部は、調整部凹と調整部凸を有し、該調整部凹は前記載置部又は前記固定部のいずれか一方と連接し、該調整部凸は該載置部又は該固定部のもう一方と連接し、
該調整部凹は中空を有し、該調整部凹の中空に該調整部凸が挿入され、該調整部凸が該調整部凹に対して摺動することで前記載置部と前記固定部との距離を調整することを特徴とする請求項１乃至３のいずれかに記載の携帯端末保持体付ショッピングカート。
【発明の詳細な説明】
【技術分野】
【０００１】
本発明は、スーパー、ショッピングモール、量販店等の店舗において利用されるショッピングカートに関する技術である。
【背景技術】
【０００２】
従来から、店舗での買物客に対して広告や買い物の補助になる情報等を提供するために液晶ディスプレイやＬＥＤディスプレイ等の電子表示装置が組み込まれた、若しくは専用の電子表示装置が装着されたショッピングカートが開発されている。
【０００３】
また一方で、スマートフォン等の携帯端末の普及に伴い、買い物する商品を事前にリストアップしておく買物メモ、店舗内での商品配置位置を知らせる店舗内マップ、また位置情報と連動した広告等を配信する広告配信サービス等、買い物中に利用することで利便性が得られる機能を有した携帯端末向けのアプリケーションやウェブサイト等が数多く提供されている。
【先行技術文献】
【特許文献】
【０００４】
【特許文献１】特開平３−２１９２８１号公報
【発明の概要】
【発明が解決しようとする課題】
【０００５】
しかしながら従来の技術では、専用の電子表示装置をショッピングカートに取り付けるか、またはショッピングカート自体に電子表示装置を組み込んだものである。よって取り付ける専用の電子表示装置を追加で購入する場合には、電子表示装置自体が高価なものであり、また電子表示装置を組み込んだショッピングカートを購入する場合には、今まで使用していたショッピングカートに替えて、新たな専用のショッピングカートを購入しなおす必要があり、販売を行う事業者にとっては初期費用がかさむために導入が進んでいないという課題がある。
【０００６】
また一方で、買物客（ユーザ）にとっては買い物中に例えば買い物かごを持つか、ショッピングカートを押していて手がふさがっている状態で、且つ陳列されている商品を手に取って確かめたり、商品を手でカゴに入れたりする必要がある中で、さらに携帯端末を手に持って操作することには煩わしさがあり、上述したような買い物中に有用なコンテンツを有効に活用しきれていないという課題もある。
【０００７】
本発明は、上記問題を解決するためになされたものであり、その課題とするところは、販売を行う事業者にとっては導入のための初期費用が抑えられ、またユーザにとっては買い物に有用なコンテンツを有効に活用できるよう、買い物中でも携帯端末が使い易くするショッピングカートを提供することである。
【課題を解決するための手段】
【０００８】
上述した課題を解決するために、本発明は、携帯端末保持部及びカート取付部を有する携帯端末保持体が取り付けられた携帯端末保持体付ショッピングカートであって、前記携帯端末保持部は、形状の異なる携帯端末を保持する機能を有し、前記カート取付部は、前記携帯端末保持部と直接又は間接的に連結され、ショッピングカートに対して着脱可能な機能を有し、携帯端末で利用可能なコンテンツを提供するコンテンツ提供手段を有することを特徴とする携帯端末保持体付ショッピングカートとしたものである。
【０００９】
また本発明は、前記コンテンツは、前記携帯端末の位置情報と連動した機能を有するコンテンツであることを特徴とする前記携帯端末保持体付ショッピングカートとしたものである。
【００１０】
さらにまた本発明は、前記携帯端末保持部は、載置部、固定部、調整部を有し、該調整部が該載置部と該固定部との距離を調整することで、形状の異なる携帯端末を保持することを特徴とする前記携帯端末保持体付ショッピングカートとしたものである。
【００１１】
さらにまた本発明は、前記調整部は、調整部凹と調整部凸を有し、該調整部凹は前記載置部又は前記固定部のいずれか一方と連接し、該調整部凸は該載置部又は該固定部のもう一方と連接し、該調整部凹は中空を有し、該調整部凹の中空に該調整部凸が挿入され、該調整部凸が該調整部凹に対して摺動することで前記載置部と前記固定部との距離を調整することを特徴とする前記携帯端末保持体付ショッピングカートである。
【発明の効果】
【００１２】
本発明は、以上説明したような構成であるから、以下に示す如き効果がある。
【００１３】
即ち、本発明の構成を採用すれば、ユーザが所有している様々な形状の異なる携帯端末を携帯端末保持体で保持することができ、ショッピングカートに取り付けた状態で共に移動することが可能となるため、ユーザは携帯端末を手で持たずに買い物を楽しみ、且つ必要な際は片手で携帯端末を操作することが可能となる。また、販売を行う事業者にとっては、専用のショッピングカートや電子表示装置を導入する場合に比べて、ユーザの携帯端末を使用してもらうために導入の初期費用を安価に抑えることが可能となる。
【図面の簡単な説明】
【００１４】
【図１】本発明における携帯端末保持体付ショッピングカートの一実施例を示す図である。
【図２】本発明における携帯端末保持部の一実施例を示す図である。
【発明を実施するための形態】
【００１５】
以下、本発明における携帯端末保持体つきショッピングカートの一実施例について図面を用いて詳細に説明する。
【００１６】
図１は、本発明における携帯端末保持体付ショッピングカートの一実施例を示した図である。本発明におけるショッピングカートそれ自体は、一般的に使用されているショッピングカートで良い。更に言うとさまざまな店舗にて実際に使用されているショッピングカートをそのまま使用することが可能であり、携帯端末保持体を設置可能な部位、例えばハンドル部やカゴ部の縁部等があれば、その構成は特に限定しない。
【００１７】
携帯端末保持体は、少なくとも、携帯端末を保持するための携帯端末保持部と、ショッピングカートに取り付けるためのカート取付部とを有している。
【００１８】
図２は、本発明における携帯端末保持部の一実施例を示す図である。携帯端末保持部は携帯端末を保持するものであり、少なくとも、載置部及び固定部と、これらの間に調整部を有している。調整部は、サイズの異なる様々な機種の携帯端末に対応するため、載置部と固定部との距離を調整することが可能な構造となっている。
【００１９】
調整部の一実施例としては、まず載置部の両端部付近から固定部に向けた方向に調整部凹が延設されてなり、調整部凹は少なくとも固定部に近い部分が中空になっている。そして固定部の両端部付近からは載置部に向けた方向に調整部凸が延設されており、調整部凸は調整部凹に挿入されて摺動する。
【００２０】
調整部が摺動する仕組みとしては、例えば、調整部凹の空洞内には、コイル状のバネを有し、バネの一方の端部は、調整部凹の端部に掛止され、外に飛び出さないようになっており、またバネのもう一方の端部若しくは端部付近では、調整部凸に係止されている構造が挙げられる。これにより、固定部が載置部から離れる方向に引っ張られると、バネの弾性力により固定部と載置部とが接近する方向に力が働き、携帯端末を挟持することが可能となる。なお、調整部凸と調整部凹とは、調整部凹が固定部から延設され、調整部凸が載置部から延設されているのであっても良い。
【００２１】
また他の実施例として、調整部が、調整部凸と調整部凹からなり、互いに摺動して載置部と固定部との距離を調節可能であることは上記実施例と同様で、この距離が任意に固定可能であっても良い。距離の固定は、一般的に用いられているレバー式、ナット式等のロック機構を用いることができる。
【００２２】
調整部が載置部と固定部との距離を固定する構成の場合には、載置部及び／又は固定部に滑り止めの加工を施すか、若しくは弾性体等で携帯端末を保持する部分を作る等して、人が力を加えれば携帯端末を挟むこと及び取り外すことは可能であるが、軽い振動等では外れない構造とすることが望ましい。また載置部、固定部、調整部の一部又は全部には、携帯端末を保護するため、携帯端末と接触する部分に緩衝体が設けられていても良い。
【００２３】
カート取付部は、携帯端末保持部と直接又は間接的に連結され、携帯端末保持部をショッピングカートに取り付けるための部位である。携帯端末保持体のリユースを考慮すると、カート取付部は、ショッピングカートに対して着脱可能であることが望ましい。
【００２４】
カート取付部の一実施例としては、取り付ける対象のショッピングカートが特定されていない、つまり様々な形状の部位に取り付ける可能性がある場合には、略洗濯バサミのような形状のクリップやベルト等であることが好ましい。また取り付ける対象のショッピングカートが特定されている場合には、Ｃ型リング等であっても良い。
【００２５】
カート取付部と携帯端末保持部との連結部は、買物客が携帯端末を見やすくするために、携帯端末保持部の向き等を変えることが可能であることが望ましく、一方で携帯端末を保持した状態で買物客が携帯端末の操作を行う（タッチパネルに指で触れ、タップ操作、スワイプ操作、フリック操作等を行う）程度の力が加わった場合であっても回転等せずにホールドされることが求められる。よって、ボール状の連結構造等、一定以上の力を加えることで稼働が可能な構造の連結部とする。
【００２６】
また、連結部は、アーム状であっても良い。アーム状の連結部は、携帯端末を買物客が見やすい位置に調整することができるよう、フレキシブルなアームであることが望ましいが、上記同様、携帯端末の操作を行う程度の力が加わった場合には、ホールドされることが求められる。
【００２７】
携帯端末保持体は、カート取付部によりショッピングカートに取り付けられ、携帯端末保持部に買物客の携帯端末を保持することが可能である。買物客は、携帯端末を携帯端末に保持させた状態で、買い物をしながら携帯端末を操作し、買い物中に有効なコンテンツ等を閲覧することが可能となる。
【００２８】
また、本願発明の携帯端末保持体付ショッピングカートにおいては、その空いたスペース若しくは別途ＰＯＰ等を添付する等その位置や構成は厭わないが、買い物中に有用なコンテンツを買物客に対して周知し、提供する手段を有する。なおコンテンツ提供手段は、携帯端末保持体とショッピングカートに設けるだけでなく、例えば店舗の入り口や商品の陳列スペース、若しくは商品のパッケージ等に設けられていても良い。
【００２９】
コンテンツ提供手段は、ＱＲコード（登録商標）、ＩＣタグやＢｌｕｅｔｏｏｔｈ（登録商標）等の無線通信を用いて、携帯端末に対してコンテンツにアクセス可能なＵＲＬ情報を取得させることにより行うか、携帯端末に対してプッシュ配信を行っても良い。提供するコンテンツとしては、例えば、その店舗の電子チラシ、クーポン、買い物メモ、店舗内マップ、商品情報、レシピ情報、催事情報等があげられ、これらの情報のいずれかを、若しくは組み合わせて提供するアプリケーションやウェブサイトであっても良い。コンテンツがアプリケーションである場合は、アプリケーションがインストール可能なＵＲＬ情報を携帯端末に取得させればよい。
【００３０】
また買物客がショッピングカートと共に店舗内を移動することで、携帯端末も移動するため、店舗内での携帯端末の位置情報と連動したコンテンツを配信することが好ましい。位置情報としては、例えば、携帯端末のＧＰＳ機能から特定される位置情報や、店舗内に設置した機器から発する無線通信（例えばＢｌｕｅｔｏｏｔｈ(登録商標）、赤外線通信、ＮＦＣ等）を受信することにより特定される位置情報を利用することが可能である。
【００３１】
位置情報と連動したコンテンツとしては、例えば、店舗内マップである場合、携帯端末の現在の位置や移動の履歴等を、店舗内マップに視覚的に表示するコンテンツが挙げられる。また電子チラシである場合には、電子チラシに掲載されている商品の陳列場所に近づくと、電子チラシ画像の中から、その商品の画像が拡大されて、又は切り取られて表示され、チラシに乗っている商品の陳列場所が近いことをアナウンスするコンテンツである。クーポンの場合も、クーポンに乗っている商品の陳列場所に近づくと、アナウンスを行うコンテンツが考えられる。商品情報の場合は、例えば近くに陳列されている商品で且つ詳細情報を有する商品のリストを携帯端末に送信して表示させ、そのリストの中から買物客に商品を選択させることで選択された商品の詳細情報を表示するか、若しくは商品毎に付与されているバーコードやＱＲコード（登録商標）、ＩＣタグ等を読み取ることで、商品の詳細情報が表示されるのであっても良い。レシピ情報である場合は、レシピを買物客が選択することで、そのレシピに必要な材料が陳列されている場所を買物客に知らせるか、若しくは特定の商品から作ることができる料理のレシピを表示し、他に必要な材料を紹介し、さらにその材料が陳列されている場所等を知らせるコンテンツが考えられる。
【００３２】
他にも、店舗内を移動した経路や滞在時間、商品情報をチェックした対象の商品等、またその日の天候や曜日、時間帯等の情報のうち、いずれか又は複数を組み合わせることで買物客の特性を分析し、その結果に基づいて特定の買物客に特化したコンテンツを携帯端末に配信することも考えられる。
【００３３】
この場合、アプリケーション側で買物客の特性情報（年代、性別、家族構成、誕生日等）を、事前に取得しておくことで、より精度の高い分析を行うことが可能となり、その買物客によりマッチングした情報を提供することが可能となる。またさらに、ポイントカード等で会員登録を行っている店舗の場合であれば、アプリケーション上で会員を特定可能なＩＤ番号等の入力を買物客に対して促し、取得しておくことで、この会員番号に紐づいて別途記憶されている購入履歴やポイント残高等のより個人の特性が反映された情報を用いた分析が可能になるとともに、買物客にとっても購入履歴やポイント残高などの情報をアプリケーション上で確認が可能となる、というメリットがある。
【符号の説明】
【００３４】
１・・・ショッピングカート
２・・・携帯端末保持体
３・・・携帯端末保持部
４・・・カート取付部
５・・・載置部
６・・・固定部
７・・・調整部
８・・・調整部凹
９・・・調整部凸
【図１】
2017109687.tif 000003
【図２】
2017109687.tif 000004